(57)【要約】【課題】電子基板に対する不正行為を効果的に予防しつつ、そのような不正行為が行われた際により確実にその痕跡を確認することができる電子基板ユニットを提供すること。【解決手段】この電子基板ユニットＵ１は、電子基板を内包する複数の基板ケース３５と、複数の基板ケース３５の合わせ目において、その分離を阻止すべく複数の基板ケースに跨るように固定された封印部材４１と、を備え、封印部材４１は、リーダによって読み取り可能な情報を有する情報部を含んでおり、基板ケース３５には、基板ケース３５に固定された封印部材４１の全外周に沿って立設された立設部４２が設けられている。【選択図】図５
2011005160.tif 000002
【特許請求の範囲】
【請求項１】
協働して電子基板を内包する複数の基板ケースと、
該複数の基板ケースの合わせ目において、その分離を阻止すべく該複数の基板ケースに跨るように固定された封印部材と、を備える電子基板ユニットであって、
前記封印部材は、リーダによって読み取り可能な情報を有する情報部を含んでおり、
前記基板ケースには、該基板ケースに固定された前記封印部材の全外周に沿って立設された立設部が設けられている、電子基板ユニット。
【請求項２】
協働して電子基板を内包する複数の基板ケースと、
該複数の基板ケースの合わせ目において、その分離を阻止すべく該複数の基板ケースに跨るように固定された封印部材と、を備える電子基板ユニットであって、
前記封印部材は、リーダによって読み取り可能な情報を有する情報部を含んでおり、
前記基板ケースに固定された前記封印部材の角部近傍には、該基板ケースから立設した立設部が設けられている、電子基板ユニット。
【請求項３】
前記立設部は、前記封印部材の前記角部近傍には配置され、かつ該角部近傍以外には配置されていない、請求項２に記載の電子基板ユニット。
【請求項４】
前記立設部に接続され、前記基板ケースに固定された前記封印部材の少なくとも一部の上方を覆うカバー部を更に備える、請求項１から請求項３のいずれかに記載の電子基板ユニット。
【請求項５】
協働して電子基板を内包する複数の基板ケースと、
該複数の基板ケースの合わせ目において、その分離を阻止すべく該複数の基板ケースに跨るように貼付された封印部材と、を備える電子基板ユニットであって、
前記封印部材は、
リーダによって読み取り可能な情報を有する情報部と、
前記基板ケースと接着するための粘着層と、を有しており、
前記基板ケースにおける前記封印部材が固定される固定面は、その表面粗さが前記粘着層の厚さを超えない範囲で粗く形成されている、電子基板ユニット。
【発明の詳細な説明】
【技術分野】
【０００１】
本発明は、電子基板ユニットに係り、特に基板ケースに内包された電子基板に対する不正行為を予防することのできる電子基板ユニットに関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子基板の構造や機能も複雑化・多様化してきている。このような電子基板に対して不正な破壊や改造が行われると、遊技が適正に行われなかったり、一部の不正な遊技者に対して不当な利益が付与されてしまったりするおそれがある。そのため、この電子基板及びその周囲構造に対しては、外部からのアクセスが困難となるような工夫が為される必要がある。
【０００４】
例えば特許文献１には、複数の基板ケースによって電子基板を内包し、この複数の基板ケースの境界を跨ぐように封印シールを貼付した遊技機が記載されている。複数の基板ケースの継ぎ目は、非直線状に形成されており、封印シールは、複数の基板ケースの継ぎ目を覆うように貼付される。このように、非直線状の継ぎ目を覆って封印シールを貼付することにより、カッター等を用いて継ぎ目に沿って痕跡を残さずに封印シールを切断することが困難になり、封印シールが切断された際の痕跡を残し易くすることができる。
【先行技術文献】
【特許文献】
【０００５】
【特許文献１】特開２００６−８７８０７号公報
【発明の概要】
【発明が解決しようとする課題】
【０００６】
しかしながら、特許文献１に記載の遊技機は、封印シールを切断することにより、基板ケースを開放されてしまうおそれがあり、電子基板への不正アクセスを確実に予防することが困難であった。
【０００７】
本発明は、上記の事情に鑑みて為されたもので、電子基板を内包する基板ケースの不正開放を防止して、電子基板に対する不正行為を効果的に予防することができる電子基板ユニットを提供することを例示的課題とする。
【課題を解決するための手段】
【０００８】
上記の課題を解決するために、本発明の例示的側面としての電子基板ユニットは、協働して電子基板を内包する複数の基板ケースと、複数の基板ケースの合わせ目において、その分離を阻止すべく複数の基板ケースに跨るように固定された封印部材と、を備え、封印部材は、リーダによって読み取り可能な情報を有する情報部を含んでおり、基板ケースには、基板ケースに固定された封印部材の全外周に沿って立設された立設部が設けられている。
【０００９】
外部から電子基板にアクセスするためには、複数の基板ケースを分離する必要がある。しかし、基板ケースの合わせ目において、複数の基板ケースに跨るように封印部材が固定されているため、封印部材を基板ケースから剥がしたり、封印部材を切断したりして、封印部材による封印を解除しなければ、基板ケースを分離することはできない。また、基板ケースに固定された封印部材の全外周に沿って立設部が設けられており、この立設部によって基板ケースに固定された封印部材へアクセスし難くし、電子基板に対する不正行為を防止することができる。
【００１０】
例えば、電子ケースを不正に開放するために、カッター等の鋭利な部材を封印部材と基板ケースとの間に鋭角に挿入して、封印部材を破いて封印部材による封印を解除することが考えられる。しかし、立設部によって封印部材の全外周が覆われているため、封印部材と基板ケースとの間に鋭利な部材を鋭角に挿入することが難しく、封印部材を傷つけずに基板ケースから剥がすことができない。
【００１１】
封印部材が立設部に覆われた状態において封印部材を剥がすためには、鋭利な部材を封印部材と基板ケースとの間に略垂直に挿入することとなる。封印部材と基板ケースとの間に鋭利な部材を鋭角に挿入する場合と比べて、封印部材の破損の可能性が高くなり、封印部材に不正アクセスの痕跡を残すことができる。
【００１２】
封印部材が破れたり傷ついたりすると、目視にてその痕跡を確認することができる。更に、リーダによる情報部の情報の読み取りが実質的に不可能となり、封印部材にその不正アクセスの痕跡が残存することとなる。したがって、電子基板に対する不正アクセスを防止するとともに、不正アクセスがなされた際の痕跡を残存させ、不正行為による被害の拡大を抑制することができる。
【００１３】
なお、立設部は、基板ケースにおける封印部材が固定される固定面に対して立設されていればよく、基板ケースの表面に対して突設されていてもよいし、基板ケースの表面に対して窪んだ窪み部を設け、この窪み部の底面を固定面として、窪み部を囲む壁部を立設部として構成してもよい。
【００１４】
また、封印部材は典型的には所謂封印シールであるが、もちろんシールに限られない。封印部材は、基板ケースの合わせ目における分離を阻止することができる部材であればよく、例えば金属部材、樹脂部材等を概念することができる。また、封印シールにおいてもその素材は、紙であっても樹脂フィルムであってもよい。
【００１５】
また、情報部は、リーダによって読み取り可能な情報を有するものであればよく、例えば、ＲＦＩＤ（Ｒａｄｉｏ  Ｆｒｅｑｕｅｎｃｙ  Ｉｄｅｎｔｉｆｉｃａｔｉｏｎ）に用いるＲＦタグ（ＩＣチップを含む）を例示できる。また、情報部は、電波によって情報を送信するタグにあっては、タグそのものだけでなく、情報を送信するためのアンテナも含む概念である。また、情報部は、電波によって情報を送信するタグだけでなく、リーダによって読み取り可能な情報を含むものであればよく、例えばバーコードも含む。
【００１６】
なお、情報部の情報が実質的に読み取り不可能な状態とは、情報部の情報が技術的に読み取り不可能な状態のみならず、通常の使用状態では読み取れないが、通常とは異なる使用状態においては読み取れる状態も含む概念である。ここでいう通常とは異なる使用状態とは、例えば、リーダの感度を飛躍的に向上させることによってのみ読み取り可能な状態や、リーダと情報部との距離を通常の使用状態より近接させることによってのみ読み取り可能な状態である。
【００１７】
また、本発明の他の例示的側面としての電子基板ユニットは、協働して電子基板を内包する複数の基板ケースと、複数の基板ケースの合わせ目において、その分離を阻止すべく複数の基板ケースに跨るように固定された封印部材と、を備え、封印部材は、リーダによって読み取り可能な情報を有する情報部を含んでおり、基板ケースに固定された封印部材の角部近傍には、基板ケースから立設した立設部が設けられている。
【００１８】
例えば、基板ケースを不正に開放するために、封印部材の角部と基板ケースとの間に鋭利な部材を挿入し、この角部から徐々に封印部材を基板ケースから剥離することが考えられる。封印部材を角部から剥がす場合は、封印部材を側辺から剥がす場合と比較して、封印部材が破れたり傷ついたりすることなく、剥がされてしまう可能性が高くなる。
【００１９】
しかし、封印部材の角部近傍に立設部を設けることにより、封印部材が不正に剥離される際にアクセスされ易い角部を保護し、破損することなく封印部材が剥離されることを防止することができる。
【００２０】
なお、立設部は、封印部材の角部に対するアクセスを防止できるように構成されていればよく、角部の側方を覆うように配置されていてもよいし、角部と隣接する二側辺の側方を覆うように配置されていてもよい。
【００２１】
また、本発明に係る電子基板ユニットの立設部は、封印部材の角部近傍には配置され、かつ角部近傍以外には配置されていないように構成されていてもよい。例えば、封印部材の全外周を覆うように立設部を設けることにより、封印部材に対する不正アクセスを防止することができる。しかし、封印部材を基板ケースに固定する際に、立設部が障害となり、封印部材の固定作業の効率が低下したり、封印部材の固定位置の精度が低下したりするおそれがある。
【００２２】
これに対して、封印部材の角部近傍のみに立設部を配置して、角部近傍以外に立設部を配置しないことにより、不正にアクセスされ易い角部近傍を効果的に保護する一方、封印部材の角部近傍以外（例えば、側辺に沿った部分）に対するアクセスを容易にして、封印部材の固定時における操作性を高めることができる。
【００２３】
具体的な立設部の構成としては、長方形の封印部材の四角近傍に立設部を各々配置し、角部と角部の間となる封印部材の側辺に沿った部分に立設部を設けない構成を例示できる。このように構成された立設部によれば、封印部材の側辺に沿って立設部が設けられていないため、固定面の側方から封印部材の固定操作を行うことができ、固定時の操作性を向上させることができる。一方、基板ケースに固定された状態で封印部材の角部に対するアクセスを防止できる。
【００２４】
また、本発明に係る電子基板ユニットは、立設部に接続され、基板ケースに固定された封印部材の少なくとも一部の上方を覆うカバー部を更に備えていてもよい。カバー部を備えることにより、基板ケースに固定された封印部材の外周側方や角部近傍からのアクセスのみならず、封印部材の上方から封印部材に対するアクセスを防止することができる。よって、封印部材に対する不正アクセスを更に効果的に防止することができる。
【００２５】
なお、封印部材に対する不正アクセスの痕跡は、封印部材自体や封印部材が固定される基板ケースに残るため、封印部材を外部から視認できる状態であることが望ましい。したがって、カバー部は封印部材が視認可能となる透明な材質であることが好ましい。更に、立設部も透明な材質とすることにより、封印部材や封印部材が固定された基板ケースの視認性を向上させ、目視による不正行為の早期発見に寄与することができる。
【００２６】
また、カバー部材は、封印部材の少なくとも一部の上方を覆うように配置されていればよく、封印部材の表面全体を覆うように配置されていてもよいし、封印部材の表面に対して対向するように近接して配置されていてもよいし、種々の構成を採用することができる。加えて、カバー部材によって封印部材の表面全体を覆い、このカバー部材を基板ケースに固定することににより、セキュリティー効果を高めることが可能となる。固定方法としては、ビスによって固定してもよいし、カシメによって固定してもよい。
【００２７】
封印部材の全体を覆うようにカバー部材を設けることにより、封印部材の角部等に対するアクセスのみならず、封印部材全体に対するアクセスを防止することができ、封印部材を溶剤等によって剥離する行為を防止することができる。更に、カバー部材をカシメ等によって固定することにより、基板ケースの係合を解除する作業に手間と時間が掛かるようにすることができ、基板ケースの不正開放を抑止することができる。
【００２８】
また、本発明の他の例示的側面としての電子基板ユニットは、協働して電子基板を内包する複数の基板ケースと、複数の基板ケースの合わせ目において、その分離を阻止すべく複数の基板ケースに跨るように貼付された封印部材と、を備え、封印部材は、リーダによって読み取り可能な情報を有する情報部と、基板ケースと接着するための粘着層と、を有しており、基板ケースにおける封印部材が固定される固定面は、その表面粗さが粘着層の厚さを超えない範囲で粗く形成されている。
【００２９】
封印部材は、基板ケースに固定される固定面と粘着層を介して固定される。粘着層は、一定の厚さを有しており、この厚さの範囲内での接触面積に比例して粘着力が高くなる。基板ケースの固定面の表面粗さが、粘着層の厚さを超えない範囲で粗く形成されていることにより、固定面と粘着層との接触面積が広くなり、固定面と封印部材との接着力を高めることができる。封印部材の接着力を高くすることにより、基板ケースから封印部材を剥離され難くして、基板ケースの不正開放を防止することができる。
【００３０】
なお、固定面の表面粗さは、例えば樹脂製の基板ケースにおいては樹脂成形の際に微細な突起部を加工することによって形成することができる。また、固定面の表面粗さの粗くする構成と、前述の立設部を併せて設けてもよい。封印部材に対する不正アクセスを防止することができるとともに、不正アクセスされた場合であっても封印部材をより剥がれ難くして、基板ケースの不正開放を効果的に防止することができる。基板ケースの係合を解除する作業に手間と時間が掛かるようにすることができ、基板ケースの不正開放を抑止することができる。
【００３１】
なお、本発明において基板ケースは、電子基板を内包する全体としてのケースをいう場合と、全体のケースを構成する複数のケース部材１つ１つをいう場合とがある。例えば、協働して電子基板を内包する複数の基板ケースという場合の基板ケースは、全体としての基板ケースを構成するケース部材をいう。そのケース部材が複数協働して全体としてひとまとまりとなったケースを基板ケースという場合もあり、その基板ケースが電子基板を内包する。
【００３２】
本発明の更なる目的又はその他の特徴は、以下添付図面を参照して説明される好ましい実施の形態によって明らかにされるであろう。
【発明の効果】
【００３３】
本発明によれば、基板ケース同士に跨って固定された封印部材へ不正のアクセスを困難にする立設部を設けることにより、封印部材を剥離され難くして、基板ケースの不正開放を防止することができる。また、封印部材への不正アクセスを困難にすることにより、封印部材が破損せずに剥離されることを防止し、不正アクセスの痕跡を残存させ易くすることが可能となる。
【００３４】
また、封印部材と基板ケースの固定面との接着力を高めることにより、基板ケースから封印部材を剥がされ難くし、封印部材の剥離作業及び基板ケースの開放作業に手間と時間が掛かるようにすることができ、基板ケースの不正開放を抑止することができる。更に、封印部材が強引に剥がされた場合であっても、その接着力によって封印部材を破損させて、不正行為が行われた際の痕跡を残存させることが可能となる。
【００３５】
すなわち、本発明によれば、電子基板に対する不正行為を効果的に予防しつつ、そのような不正行為が行われた際に簡便にその痕跡を確認することができて、不正行為の予防及び早期発見に寄与することができる。
【図面の簡単な説明】
【００３６】
【図１】本発明の実施の形態１に係るパチンコ機の正面図である。
【図２】図１に示すパチンコ機の背面図である。
【図３】実施の形態１に係る主制御基板ユニットの平面図である。
【図４】図３に示す主制御基板ユニットの分解斜視図である。
【図５】図３に示す主制御基板ユニットを右後方から視認した斜視図である。
【図６】図３に示す主制御基板ユニットを右前方から視認した斜視図である。
【図７】実施の形態１に係る封印シールの表面及び裏面を模式的に示した図である。
【図８】封印シールと基板ケースの固定面とを模式的に示した断面図である。
【図９】本発明の実施の形態２に係るスロットマシンの正面図である。
【図１０】前扉を外した状態のスロットマシン（筐体）の正面図である。
【図１１】実施の形態２に係る主制御基板ユニットの平面図である。
【図１２】図９に示す主制御基板ユニットの分解斜視図である。
【図１３】図９に示す主制御基板ユニットを左前方から視認した斜視図である。
【図１４】図９に示す主制御基板ユニットを左後方から視認した斜視図である。
【図１５】実施の形態２に係る封印シールの表面及び裏面を模式的に示した図である。
【図１６】変形例１に係る主制御基板ユニットを左前方から視認した斜視図である。
【図１７】変形例２に係る主制御基板ユニットを左前方から視認した斜視図である。
【発明を実施するための形態】
【００３７】
＜実施の形態１＞
以下、本発明の実施の形態１について図面を用いて説明する。図１は、本発明の実施の形態１に係る電子基板ユニットＵ１を有する遊技機としてのパチンコ機２の正面図である。このパチンコ機２は、遊技機枠３、遊技盤ユニット５、ガラス１０、発射ユニット（不図示）、球皿１４を有している。発射ユニットは、１個ずつ遊技球２３を遊技盤ユニット５に構成される遊技領域１６に向けて発射可能である。
【００３８】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態１においては、デジパチ遊技（１種遊技、図柄変動遊技ともいう。）を実現するいわゆる１種タイプのパチンコ機について例示説明する。なお、図柄変動遊技については後述する。
【００３９】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００４０】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００４１】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００４２】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４３】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４４】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００４５】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４６】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４７】
センター役物７は、演出表示装置７ａの周囲を覆うように構成されており、図柄変動遊技（１種遊技）を実現するものである。センター役物７の上部には、図柄表示手段としての第１図柄（特別図柄)表示装置１７が配置されるとともに、センター役物７の中央部には、演出表示装置７ａが配置されている。
【００４８】
第１図柄（特別図柄)表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４９】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００５０】
遊技盤６の裏面側には、パチンコ機２の全体の制御を行う遊技制御手段としての主制御基板３４及び主制御基板ケース３５を有する主制御基板ユニットＵ１が設けられている。主制御基板ユニットＵ１は、主制御基板３４と、これを内包する主制御基板ケース３５と、主制御基板ケース同士のつなぎ目に跨って貼付された封印シール（封印部材）４１と、を有する。この主制御基板ユニットＵ１については、後述にて詳細に説明する。
【００５１】
また、遊技盤６の裏面側には、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５２】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００５３】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５４】
なお、本実施の形態１では、主制御基板ケース３５を有する主制御基板ユニットＵ１について例示して説明するが、他の制御基板ケースについても同様の構造を採用することが可能である。以下、本発明の実施の形態１に係る主制御基板ユニット（電子基板ユニット）Ｕ１について、図３から図８を用いて説明する。以下の説明においては、上下及び前後左右の方向は、遊技者からパチンコ機２を見た際の方向に基づいて定義し、図中に適宜図示する。
【００５５】
図３は、主制御基板ユニットＵ１の平面図であり、図４は、主制御基板ユニットＵ１の分解斜視図である。主制御基板ケース３５は、遊技盤６の裏面側に着脱自在に固定される本体ケース（基板ケース）３５ａと、本体ケース３５ａに対して着脱自在に固定される蓋ケース（基板ケース）３５ｂとの２つの基板ケースを有し、これら両者が協働して主制御基板３４を内部に内包する。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５６】
主制御基板３４の表面（ここでいう表面は、前面側である場合と後面側である場合とを含む。）には、ＲＯＭ、ＲＡＭ、ＣＰＵ等の電子デバイス、接続コネクタ等を含む電子部品３４ｂが実装されている。主制御基板３４の周囲には、固定面としての固定穴３４ａが形成されている。主制御基板３４の後側から固定穴３４ａに固定ネジを挿入して、この固定ネジと蓋ケース３５ｂのネジ穴（図示せず）とをネジ止めすることにより、主制御基板３４が蓋ケース３５ｂ内に固定されるようになっている。
【００５７】
主制御基板ケース３５の下側部には、ヒンジ部が設けられている。ヒンジ部は、本体ケース３５ａの下側壁面に沿った軸部（図示せず）と、この軸部に係止される円弧状の弧状爪部３５ｅと、を有して構成され、軸部は蓋ケース３５ｂに形成され、弧状爪部３５ｅは本体ケース３５ａに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００５８】
主制御基板ケース３５の上側部には、痕跡残留部としての封止部が形成されている。封止部は、主制御基板ケース３５の上側部において、後述する不正開放検出構造を挟んだ左右側方に配置されている。封止部は、本体ケース３５ａの上側壁面に対して突出して形成された本体カシメ部３５ｇと、蓋ケース３５ｂに連結部材３５ｈを介して接続された蓋カシメ部３５ｋと、本体カシメ部３５ｇと蓋カシメ部３５ｋとの間に収容可能な封止片３５ｍと、からなる。
【００５９】
封止片３５ｍは、「ロック」の文字が印字された表面が前方に位置する第１状態又は表面が後側に位置する第２状態で各カシメ部に収容される。本体カシメ部３５ｇ内に封止片３５ｍを第１状態で配置して基板ケースを閉状態とすると、封止片３５ｍは本体カシメ部３５ｇ及び蓋カシメ部３５ｋと嵌合して、主制御基板ケース３５の閉状態が保持される封止状態となる。一方、本体カシメ部３５ｇに封止片３５ｍを第２状態で配置して基板ケースを閉状態とすると、封止片３５ｍは本体カシメ部３５ｇ及び蓋カシメ部３５ｋと嵌合せず、基板ケースの閉状態は保持されない。
【００６０】
したがって、主制御基板ケース３５を閉状態で封止する際には、いずれかの封止片３５ｍを第１状態として各カシメ部に配置し、他の封止片３５ｍを第２状態として各カシメ部に配置して、基板ケースを閉状態とする。これにより、主制御基板ケース３５は、封止状態となる。
【００６１】
このような封止部によって主制御基板ケース３５を封止することにより、封止状態を解除することは困難であり、主制御基板ケース３５を開封するためには、第１状態の封止片３５ｍを収容した蓋カシメ部３５ｋと連結された連結部材３５ｈを切断して、この蓋カシメ部３５ｋを蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００６２】
しかし、連結部材３５ｈを切断した痕跡は、主制御基板ケース３５を視認しなければ検出できず、主制御基板ケース３５が不正に開放されたことを早期に発見できないおそれがある。この対策として、本実施の形態１に係る主制御基板ユニットＵ１は、封止部と合わせて不正開放検出構造を備えている。
【００６３】
また、主制御基板ケース３５の右側部には、痕跡残留部としての本体封止部が形成されている。本体封止部は、蓋ケース３５ｂに形成された蓋カシメ部３５ｋと、本体カシメ部と同様の構造であって遊技盤ユニット５の裏面側に固定された盤カシメ部（図示せず）と、各カシメ部に収容される封止片（図示せず）と、を有する。本体封止部によって、主制御基板ユニットＵ１と遊技盤ユニット５とを固定した状態で保持することができるとともに、主制御基板ユニットＵ１が外された場合の痕跡を残し、主制御基板ユニットＵ１が不正に取り外されたことを検出することができる。
【００６４】
主制御基板ケース３５の上側部には、不正開放検出構造が設けられている。不正開放検出構造は、不正行為者による主制御基板ケース３５の不正開放を予防し、また、万一不正に開放された際に、その不正開放の痕跡を残存させるためのものである。図５は、主制御基板ユニットＵ１を右後方から視認した斜視図である。図６は、主制御基板ユニットＵ１を右前方から視認した斜視図である。
【００６５】
不正開放検出構造は、本体ケース３５ａと蓋ケース３５ｂの境界線３５ｆにおいて、その分離を阻止すべく両ケースに跨るように固定された封印部材としての封印シール４１と、封印シール４１の全外周に沿って封印シール４１に対して立設した立設部４２と、を有する。封印シール４１は、リーダによって読み取り可能な情報を有する情報部を含んでいる。境界線３５ｆは、非直線状であり、本体ケース３５ａと蓋ケース３５ｂとが交互に噛み合うような凹凸形状である。
【００６６】
本体ケース３５ａと蓋ケース３５ｂにおける封印シール４１が固定される固定面３５ｐは、主制御基板ケース３５の上部であって、左上端部と右上端部に配置された封止部の間に配置されている。固定面３５ｐは、主制御基板ケース３５の前面、上面、及び後面に跨って配置されており、主制御基板ケース３５の表面に対して窪んだ窪み部の底面である。窪み部の底面が封印シールの固定面３５ｐとなり、窪み部を隔成する壁面が立設部４２として機能している。立設部４２は、封印シール４１が貼付された状態で、封印シール４１の全外周を覆い、かつ封印シール４１の表面に対して立設している。立設部４２を備えることにより、破損することなく封印シール４１が剥離されることを防止することができる。
【００６７】
仮に、封印シール４１を不正に剥がすために封印シール４１と固定面３５ｐとの間にカッター等の鋭利な刃物を鋭角に挿入しようとしても、立設部４２によって封印シール４１の全外周が覆われているため、封印シール４１に対して鋭角に刃物を挿入できず、封印シール４１に対して略垂直に刃物を挿入することになる。封印シールと固定面との間に刃物を鋭角に挿入された場合には、封印シールが破損することなく剥離されるおそれがあるが、封印シール４１に対して略垂直に刃物を挿入された場合には、剥離される過程において封印シールが破損する可能性が高くなる。
【００６８】
すなわち、立設部４２を設けることにより、封印シール４１と固定面３５ｐとの間に鋭角に刃物を挿入されて、破損することなく封印シール４１が剥がされることを防止することができる。また、剥がされた場合であっても、封印シール４１の情報部が破損するため、封印シール４１が剥がされたことによる痕跡を残存させることが可能となる。
【００６９】
また、主制御基板ユニットＵ１は、遊技盤ユニット５の後面に装着されており、主制御基板ユニットＵ１の前面は遊技盤ユニット５の後面と対向して配置されている。封印シール４１は、主制御基板ユニットＵ１の前面、上面、及び後面に跨って貼付されており、特に前面においては遊技盤ユニット５と対向して配置されているため、後方から主制御基板ユニットＵ１の前面に貼付された封印シール４１を剥離することは難しい。すなわち、アクセス方向に対する背面側に封印シール４１を貼付することにより、封印シール４１が不正に剥離されることを効果的に防止することができる。
【００７０】
図７は、封印シール４１の表面及び裏面を模式的に示した図である。封印シール４１は、長方形のシールであり、表面には識別情報としてのシリアル番号４１ａが印刷されている。封印シール４１の裏面には、シリアル番号４１ａ等個々の遊技機を特定するための情報を格納したＩＣチップ４１ｂと、ＩＣチップ４１ｂの情報を電波によって送信するためのアンテナ部４１ｃと、が貼付されている。ＩＣチップ４１ｂは、封印シール４１の略中央に配置されており、アンテナ部４１ｃは対角線に沿って配置されている。
【００７１】
ＩＣチップ４１ｂに格納された情報は、アンテナ部４１ｃが電波によって送信可能に構成されており、図示しないリーダを用いて情報を読み取ることが可能である。アンテナ部には、電波によって情報を送信するためのループを構成するためのスリットが設けられており、このスリットの近傍に切り欠き部４１ｄが形成されている。切り欠き部４１ｄが形成されていることにより、封印シール４１が剥がされたり封印シールに外部から力が加えられたりした際にアンテナ部４１ｃが破損し、電波による情報送信が不可能な状態となる。
【００７２】
このように構成された封印シール４１によれば、剥離される際にアンテナ部４１ｃが破損して電波による情報送信が不可能になり、封印シール４１に対して不正行為がなされたことを確実に検出することができる。
【００７３】
更に、封印シール４１の全外周を覆うように立設部４２を設けていることにより、封印シール４１の側方からのアクセスを防止できるため、封印シール４１の外周を覆うことなく主制御基板ケース３５の表面に貼付する構成や主制御基板ケース３５の表面から突出して封印シール４１を配置する構成と比べて、封印シール４１の不測の破損等を防ぐことができる。
【００７４】
また、実施の形態１に係る主制御基板ユニットＵ１は、封印シール４１と主制御基板ケース３５との接着力を高める構成を採用している。図８は、封印シール４１と主制御基板ケース３５の固定面３５ｐとを模式的に示した断面図である。（ａ）は、封印シール４１と主制御基板ケース３５とが分離した状態であり、（ｂ）は、封印シール４１と主制御基板ケース３５とが接着した状態である。
【００７５】
封印シール４１は、断面に示すように、シリアル番号等が印刷された印刷面を有する紙製の第１層４１ｅと、第１層４１ｅの下方に配置され、アンテナ部４１ｃ及びＩＣチップ４１ｂを有する第２層４１ｆと、第２層４１ｆの下方に配置され、主制御基板ケース３５に接着するための接着成分を有する第３層（粘着層）４１ｇと、を備える。
【００７６】
主制御基板ケース３５における封印シール４１が貼付される固定面３５ｐの表面には、微細な突起部３５ｒが複数形成されている。突起部３５ｒの高さは、第３層４１ｇの厚さの範囲内である。突起部３５ｒは、封印シール４１を主制御基板ケース３５に貼付した状態において第３層４１ｇ内に配置される。
【００７７】
固定面３５ｐの表面に突起部３５ｒを設けることにより、固定面３５ｐが平滑面の構成と比べて、粘着層である第３層と接する固定面３５ｐの面積を広くすることができ、封印シール４１と固定面３５ｐとの接着力を高めることができる。封印シール４１の接着力を高めることにより、更に封印シール４１を剥離し難くして、主制御基板ケース３５の不正開放に手間及び時間を要させて、不正行為を抑制することが可能となる。
【００７８】
このように実施の形態１に係る主制御基板ユニットＵ１によれば、封印シール４１の全外周に沿って配置された立設部４２によって封印シール４１に対する不正アクセスを困難にし、封印シール４１が不正に剥離されることを防止することができる。更に、固定面に微細な突起部を複数形成し、固定面３５ｐと封印シール４１との接着力を高めることにより、主制御基板ケース３５の不正開放に手間及び時間を要させて、不正行為を抑制することが可能となる。
【００７９】
また、本実施の形態１においては、封印シール４１は紙製であるが、もちろん封印部材がプラスチックフィルムや布、金属板等であってもよい。また、本実施の形態１においては、パチンコ機に設けられた主制御基板ユニットについて説明したが、パチンコ機に限られず、スロットマシンに設けられた電子基板ユニットについて適用してもよい。
【００８０】
＜実施の形態２＞
次いで、実施の形態２に係る電子基板ユニットを有するスロットマシンについて説明する。実施の形態２に係る電子基板ユニットは、スロットマシンの遊技全体を制御する主制御基板（図示せず）を内包する主制御基板ケース１３５を有する主制御基板ユニットＵ２である。実施の形態２に係る主制御基板ユニットＵ２は、実施の形態１の主制御基板ユニットＵ１と立設部の形状が異なっている。なお、実施の形態１と同様の構成については説明を省略する。図９は、スロットマシンの正面図であり、図１０は、スロットマシンの前面を覆う前扉を外した状態のスロットマシン（筐体）の正面図である。
【００８１】
スロットマシン１０２、略矩形状の箱型の筐体１０３と、筐体１０３の開口に対してヒンジ（図示せず）により開閉可能に取り付けられた前扉１０４と、を備える。前扉１０４は、上パネル部１０５、中パネル部１０６、及び下パネル部１０７を有しており、これらは一体に形成されている。また、下パネル部１０７の下方には、メダルを貯留するための受け皿１０８が設けられている。
【００８２】
上パネル部１０５には、液晶表示装置１０９が設けられており、この液晶表示装置１０９によって遊技者の視覚に訴える画像演出を行う。上パネル部１０５の左右位置には、スピーカ（図示せず）からの音声を出力する放音部１１０が設けられており、この放音部１１０からの音声によって遊技者の聴覚に訴える演出を行う。
【００８３】
上パネル部１０５の下方に配置された中パネル部１０６には、長方形の透明な窓部１１１が形成されている。そして、この窓部１１１を通して、筐体１０３内に設けられている円筒状の３個のリール１１２を遊技者が目視できるように構成されている。中パネル部１０６の下方には、メダル投入部１１３と、ベットボタン１１４と、スタートレバー１１５と、３個のストップボタン１１６等が配置されている。
【００８４】
メダル投入部１１３は、遊技者からがメダルを投入する入口となり、投入されたメダルは、スロットマシン１０２内部にて貯留することができる。ベットボタン１１４は、１ゲームに賭けるメダルの枚数を決定するための押圧式のボタンである。スタートレバー１１５は、リール１１２を一斉に回転させる指示をするためのスイッチである。ストップボタン１１６は、各リール１１２の回転停止を指示するための押圧式のボタンであり、各リールの配列に対応してそれぞれ並設されている。
【００８５】
前扉１０４の下パネル部１０７には、スロットマシン１０２の機種等を遊技者へ認識させるため絵柄等が表示されている。前扉１０４の下方には、入賞等の契機によりメダルを遊技者に払い出すメダル払出口１１７と、スピーカからの音声を出力する放音部１１０と、が配設されている。
【００８６】
筐体１０３は、前扉１０４の後方に配置され、前面に形成された開口部を前扉１０４によって覆われている。筐体１０３は、後面の上部位置に、スロットマシン１０２の全体の遊技を制御する主制御基板を内包した主制御基板ユニットＵ２が装着されている。主制御基板ユニットＵ２の後面は、筐体１０３の後面と対向しており、主制御基板ユニットＵ２は筐体１０３内に離脱不能に固定されている。
【００８７】
主制御基板ユニットＵ２の下方には、３個のリール１１２が軸方向に並んで配置されている。各リール１１２の表面には、複数の絵柄が印刷されており、前扉１０４側に形成された窓部１１１からリール１１２の絵柄を遊技者が視認できるように配置されている。
【００８８】
リール１１２の下方には、遊技者に対してメダルを払い出すメダル払出装置１１８が設置されている。メダル払出装置１１８から払い出されたメダルは、メダル払出口を介して受け皿１０８に供給される。主制御基板ユニットＵ２の右方には、スロットマシン１０２の遊技状態等の遊技情報を外部に出力するための外部出力端子板１１９が設けられている。
【００８９】
遊技者によってベットボタン１１４が押圧操作されると、内部に貯留したメダル（クレジット）からメダルが賭けられゲームが開始する。ゲーム開始した後、スタートレバー１１５が操作されると、リール１１２が回転する。同時に入賞役を内部抽選し、その結果をＲＡＭに記憶する。
【００９０】
遊技者によってストップボタン１１６が押圧操作されると、それに従い順次、対応するリール１１２が停止する。そして、全てのリール１１２が停止した後、各リールに表示された図柄の組合せが入賞役となる図柄の組合せと一致しているか否か判定する。これらが一致したときには入賞役が確定し、その入賞役の種類に応じた獲得枚数のメダルをクレジットに加算する。クレジットがその上限を超える場合には、メダル払出装置１１８からメダルが払い出され、受け皿１０８へ供給される。
【００９１】
このように遊技者は、リール１１２を回転する操作及び停止する操作を行って、予め定められた組合せで図柄が揃い入賞が成立すると、再度のゲーム（リプレイ）や賭けた枚数以上のメダルを獲得することができる。
【００９２】
次いで、図１１から図１５に基づいて、実施の形態２に係る主制御基板ユニットＵ２について説明する。図１１は、主制御基板ユニットＵ２の平面図であり、図１２は、主制御基板ユニットＵ２の分解斜視図である。図１３は、左前方から視認した主制御基板ユニットＵ２の斜視図であり、図１４は、左後方から視認した主制御制御ユニットＵ２の斜視図である。
【００９３】
主制御基板ユニットＵ２は、主制御基板（図示せず）を内包する主制御基板ケース１３５と、主制御基板ケース１３５同士のつなぎ目に跨って貼付された封印シール（封印部材）１４１と、を有する。主制御基板ケース１３５は、筐体１０３の背面に対して着脱自在に固定される本体ケース（基板ケース）１３５ａと、本体ケース１３５ａに対して着脱自在に固定される蓋ケース（基板ケース）１３５ｂとの２つの基板ケースを有し、これら両者が協働して主制御基板を内部に内包するようになっている。主制御基板は、蓋ケース１３５ｂの内面側に形成された開口部に固定されて、蓋ケース１３５ｂと本体ケース１３５ａとが係合することにより、主制御基板ケース１３５の内部に収容されるようになっている。この収容された状態では、主制御基板に対して外部から接触することはできない。
【００９４】
主制御基板ケース１３５の下側部には、ヒンジ部が設けられている。ヒンジ部は、本体ケース１３５ａの下側壁面に沿った軸部（図示せず）と、この軸部に係止される円弧状の弧状爪部１３５ｅと、を有して構成され、軸部は本体ケース１３５ａに形成され、弧状爪部３５ｅは蓋ケース１３５ｂに形成されている。蓋ケース１３５ｂは本体ケース１３５ａに対して軸部を中心として揺動可能に支持されており、蓋ケース１３５ｂが本体ケース１３５ａに対して回転移動することより、主制御基板ケース１３５の開口部を開放した開状態と閉鎖した閉状態とを実現する。
【００９５】
主制御基板ケース１３５の上側部には、痕跡残留部としての封止部１３５ｇが形成されている。封止部１３５ｇは、主制御基板ケース１３５の上側部において、後述する不正開放検出構造を挟んだ左右側方に配置されている。また、主制御基板ケース１３５の右側部には、痕跡残留部としての本体封止部１３５ｋが形成されている。封止部１３５ｇ及び本体封止部１３５ｋについては、実施の形態１と同様の構成のため説明を省略する。
【００９６】
主制御基板ケース１３５の上側部には、不正開放検出構造が設けられている。不正開放検出構造は、本体ケース１３５ａと蓋ケース１３５ｂの境界線１３５ｆにおいて、その分離を阻止すべく両ケースに跨るように固定された封印シール１４１と、封印シール１４１の角部１４１ｈ近傍において立設した立設部１４２と、を有する。封印シール１４１は、リーダによって読み取り可能な情報を有する情報部を含んでいる。
【００９７】
図１５は、封印シール１４１の表面及び裏面を模式的に示した図である。封印シール１４１は、長方形のシールであり、裏面には、個々の遊技機を特定するための情報を格納したＩＣチップ１４１ｂと、ＩＣチップ１４１ｂの情報を電波によって送信するためのアンテナ部１４１ｃと、が貼付されている。ＩＣチップ１４１ｂは、封印シール１４１の略中央下部に配置されており、アンテナ部１４１ｃは封印シール１４１の外周に沿って配置されている。
【００９８】
本体ケース１３５ａと蓋ケース１３５ｂにおける封印シール１４１が固定される固定面１３５ｐは、主制御基板ケース１３５の上側部であって、左上端部と右上端部に配置された封止部１３５ｇ間に設けられている。固定面１３５ｐは、主制御基板ケース１３５の表面（前面）に配置されており、立設部１４２は、封印シール１４１が貼付された状態で封印シールの角部１４１ｈを覆うが、封印シール１４１の側辺を覆わないように立設している。立設部１４２が設けられていることにより、封印シール１４１の側方から封印シール１４１へのアクセスを困難にしている。
【００９９】
仮に、封印シール１４１を不正に剥がすために封印シール１４１の角部１４１ｈと固定面１３５ｐとの間に鋭利な刃物を鋭角に挿入しようとしても、立設部１４２によって封印シール１４１の角部１４１ｈが覆われているため、封印シール１４１の角部１４１ｈと固定面１３５ｐとの間に鋭角に刃物を挿入できない。一方、封印シール１４１の側辺の側方には立設部１４２が設けられていないため、封印シール１４１の側辺と固定面１３５ｐとの間に鋭角に刃物を挿入することが可能である。
【０１００】
しかし、封印シールの側辺から刃物を挿入した場合は、角部から刃物を挿入した場合と比較して、封印シールが破損し易く不正アクセスの痕跡が残存しやすい。よって、封印シールが不正に剥離された場合であっても、その痕跡を容易に残すことができる。
【０１０１】
一方、封印シールの貼付作業においては、固定面１３５ｐの側方が開放されているため、封印シール１４１の側辺を持って貼付作業を行ったり、封印シール１４１の側方から封印シール１４１の上面を押圧して、封印シール１４１を主制御基板ケース１３５に固定したりすることができ、全外周に立設部１４２を設ける構成と比較して、貼付作業が容易になり作業効率を向上させることができる。
【０１０２】
このように本実施の形態２に係る主制御基板ユニットＵ２によっても、封印シールの角部近傍に沿って配置された立設部によって封印シール１４１に対する不正アクセスを困難にし、封印シール１４１の剥離を防止することが可能である。更に、立設部１４２は、封印シール１４１の側辺を覆わないように配置されているため、封印シール１４１の貼付作業の効率を向上させることができる。
【０１０３】
以上、本発明の好ましい実施の形態１及び実施の形態２を説明したが、本発明はこれらに限定されるものではなく、その要旨の範囲内で様々な変形や変更が可能である。次いで、変形例１及び変形例２に係る主制御基板ユニットＵ３及びＵ４について説明する。図１６は、変形例１に係る主制御基板ユニットＵ３を右後方から視認した斜視図であり、図１７は、変形例２に係る主制御基板ユニットＵ３を右後方から視認した斜視図である。
【０１０４】
変形例１に係る主制御基板ユニットＵ３は、実施の形態１に係る主制御基板ユニットＵ１と同様に封印シールの全外周に沿って立設部が配置されているが、制御基板ユニットＵ１と固定面の位置が異なっている。主制御基板ユニットＵ３の後面には、本体ケース２３５ａと蓋ケース２３５ｂの境界線２３５ｆと、その境界線２３５ｆを跨るように貼付される封印シール２４１の固定面（図示せず）と、が設けられている。
【０１０５】
固定面は、主制御基板ユニットＵ３の後面よりも窪んだ窪み部における底面であり、図１６に示す封印シール２４１の貼付面である。窪み部を隔成する壁面は、立設部２４２として機能している。立設部２４２は、封印シール２４１が貼付された状態で、封印シール２４１の全外周を覆うよう立設されている。立設部２４２が設けられていることにより、封印シール２４１の側方からの不正アクセスを困難にすることができる。
【０１０６】
また、実施の形態１に係る主制御基板ユニットＵ１の固定面は、後面、上面、及び後面に跨って形成されているが、変形例１に係る主制御基板ユニットＵ３の固定面は、前面のみに形成されている。したがって、複数の面に跨って固定面が形成されている構成と比較して、封印シールの貼付作業を簡易に行うことができ、作業効率を高めることができる。また、前扉１０４を開放することにより封印シール２４１全体を視認することができるため、封印シール２４１の破損等を早期に発見することが可能となる。
【０１０７】
変形例２に係る主制御基板ユニットＵ４は、実施の形態２に係る主制御基板ユニットＵ２と同様に封印シール３４１の角部近傍に立設部３４２が配置されているが、主制御基板ユニットＵ２と異なり立設部３４２にカバー部材３４３が接続されている。カバー部材３４３は、封印シール３４１の角部近傍に配置された立設部３４２の前端部に接続されており、貼付された封印シール３４１の前方を覆うように、封印シール３４１の表面と対向して配置されている。このカバー部材３４３を設けることにより、封印シール３４１の前方から角部への不正アクセスを防止することができ、電子基板への不正行為を更に効果的に防止することができる。
【符号の説明】
【０１０８】
Ｕ１，Ｕ２，Ｕ３，Ｕ４：主制御基板ユニット（電子基板ユニット）
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄)表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子基板）
３４ａ：固定穴
３４ｂ：電子部品
３５：主制御基板ケース（基板ケース）
３５ａ：本体ケース（基板ケース）
３５ｂ：蓋ケース（基板ケース）
３５ｅ：弧状爪部
３５ｆ：境界線
３５ｇ：本体カシメ部
３５ｈ：連結部材
３５ｋ：蓋カシメ部
３５ｍ：封止片
３５ｐ：固定面
３５ｒ：突起部
３６：演出制御基板ケース
３７：払出制御基板ケース
３８：電源基板ケース
３９：外部出力端子板
４１：封印シール（封印部材）
４１ａ：シリアル番号
４１ｂ：ＩＣチップ（情報部）
４１ｃ：アンテナ部（情報部）
４１ｄ：切り欠き部
４１ｅ：第１層
４１ｆ：第２層
４１ｇ：第３層（粘着層）
４２：立設部
１０２：スロットマシン（遊技機）
１０３：筐体
１０４：前扉
１０５：上パネル部
１０６：中パネル部
１０７：下パネル部
１０８：受け皿
１０９：液晶表示装置
１１０：放音部
１１１：窓部
１１２：リール
１１３：メダル投入部
１１４：ベットボタン
１１５：スタートレバー
１１６：ストップボタン
１１７：メダル払出口
１１８：メダル払出装置
１１９：外部出力端子板
１３５：主制御基板ケース
１３５ａ：本体ケース（基板ケース）
１３５ｂ：蓋ケース（基板ケース）
１３５ｅ：弧状爪部
１３５ｆ：境界線
１３５ｇ：封止部
１３５ｋ：本体封止部
１３５ｐ：固定面
１４１：封印シール（封印部材）
１４１ｂ：ＩＣチップ（情報部）
１４１ｃ：アンテナ部（情報部）
１４１ｈ：角部
１４２：立設部
２３５ａ：本体ケース（基板ケース）
２３５ｂ：蓋ケース（基板ケース）
２３５ｆ：境界線
２４１：封印シール（封印部材）
２４２：立設部
３４１：封印シール
３４２：立設部
３４３：カバー部材 
【図１】
2011005160.tif 000003
【図２】
2011005160.tif 000004
【図３】
2011005160.tif 000005
【図４】
2011005160.tif 000006
【図５】
2011005160.tif 000007
【図６】
2011005160.tif 000008
【図７】
2011005160.tif 000009
【図８】
2011005160.tif 000010
【図９】
2011005160.tif 000011
【図１０】
2011005160.tif 000012
【図１１】
2011005160.tif 000013
【図１２】
2011005160.tif 000014
【図１３】
2011005160.tif 000015
【図１４】
2011005160.tif 000016
【図１５】
2011005160.tif 000017
【図１６】
2011005160.tif 000018
【図１７】
2011005160.tif 000019